(57)【要約】【課題】  ファイル名が変更されてしまう不具合や部品メーカ側に対する誤発注の発生を回避するとともに、字数の多い部品名データであっても、部品名データへの逆変換処理や特定データへの変換処理を容易かつ正確に行えるようにする。【解決手段】  ＣＡＤ内で使用する部品情報に係わる部品ファイルＤｐを作成するに際し、部品を特定するための部品メーカ側で付与された部品名データＤｍを、部品の寸法に係わる数値を含まない暗号化したファイル名Ｎｆに変換し、このファイル名Ｎｆを使用して部品ファイルＤｐを作成する。【選択図】  図１
2006146482.tif 000002
【特許請求の範囲】
【請求項１】
ＣＡＤ内で使用する部品情報に係わる部品ファイルを作成するＣＡＤシステムの部品ファイル作成方法において、部品を特定するための部品メーカ側で付与された部品名データを、部品の寸法に係わる数値を含まない暗号化したファイル名に変換し、このファイル名を使用して前記部品ファイルを作成することを特徴とするＣＡＤシステムの部品ファイル作成方法。
【請求項２】
前記ファイル名は、少なくとも部品の種類，部品の寸法及び部品名の形態を、それぞれ部品の種類毎に設定した種別コード，同一の種別コード内で寸法毎に設定した寸法コード及び部品名の形態に対応して設定した形態コードに変換し、前記種別コード，前記寸法コード及び前記形態コードを組合わせて生成することを特徴とする請求項１記載のＣＡＤシステムの部品ファイル作成方法。
【請求項３】
前記種別コード，前記寸法コード及び前記形態コードを、予めデータベースとして設定し、このデータベースを用いて前記部品名データから前記ファイル名に自動変換処理することを特徴とする請求項２記載のＣＡＤシステムの部品ファイル作成方法。
【請求項４】
前記部品名データが、前記種別コード，前記寸法コード及び前記形態コードにより表現できないものを含むときは、補助コードに変換し、この補助コードを追加した前記ファイル名を生成することを特徴とする請求項２又は３記載のＣＡＤシステムの部品ファイル作成方法。
【請求項５】
作成した前記部品ファイルのファイル名を、逆変換処理機能により、前記部品名データに逆変換処理することを特徴とする請求項１記載のＣＡＤシステムの部品ファイル作成方法。
【請求項６】
作成した前記部品ファイルのファイル名を、特定データ変換処理機能により、前記部品名データとは異なる特定データに変換処理することを特徴とする請求項１記載のＣＡＤシステムの部品ファイル作成方法。
【発明の詳細な説明】
【技術分野】
【０００１】
本発明は、ＣＡＤ内で使用する部品情報に係わる部品ファイルを作成する際に用いて好適なＣＡＤシステムの部品ファイル作成方法に関する。
【背景技術】
【０００２】
一般に、射出成形用金型で代表される各種金型は、複数の金型プレートに加え、この金型プレートを組付けるボルト，ナット，ワッシャ等の多数の部品から構成されている。このため、従来、アセンブリ機能を有するＣＡＤシステム（三次元ＣＡＤシステム）により金型図面を作成（モデリング）する場合、ＪＩＳ規格部品であるボルト，ナット，ワッシャ等の標準化された部品は、システム内に予めデータベースとして登録されている部品情報を読み出し、この部品情報を利用して金型設計を行っていた。
【０００３】
例えば、既に、本出願人が提案した特許第３２８６７７９号でよる三次元ＣＡＤシステムの部品データ登録方法は、予め、部品モデルの標準化された部品に係わる標準データをテキストファイルに登録し、任意の部品モデルに係わるモデリング時に、当該部品モデルに対応する標準データをテキストファイルから読み出し、かつ読み出した標準データに対して、追加データを付加することにより、当該部品モデルに係わる部品データを作成し、この作成した部品データをソリッドベースの部品となるデータベースとしてデータテーブルに登録するものであり、これにより、データベースのメモリ容量が大幅に削減され、コスト面での有利性が高められるとともに、モデリング効率が高められる。
【特許文献１】特許第３２８６７７９号
【発明の開示】
【発明が解決しようとする課題】
【０００４】
しかし、上述した従来の部品データ登録方法（部品ファイル作成方法）は、次のような問題点があった。
【０００５】
第一に、部品ファイルを作成する際のファイル名は、後で部品発注等に便利なように、通常、部品メーカ側で付与された部品名データをそのまま利用して作成することも多いが、部品メーカ側で付与される部品名データには、独自の商品名に加えて寸法情報が含まれるため、ＣＡＤシステムに標準的に装備されるパラメタリック機能を利用して寸法を変更した場合、寸法情報を含むファイル名も一緒に変更されてしまい、結局、ＣＡＤ図面を作成した後、ファイル名の再チェックが必要になったり、部品メーカ側に対する誤発注を招きやすい。
【０００６】
第二に、通常、部品メーカ側は、部品名データを独自のフォーマットにより作成しているが、部品名データによっては４０字を超えるものも存在するため、部品名データをそのまま使用することができない場合も少なくない。結局、この場合には、部品名データの使用が部分的にならざるを得ず、後に発注コードや管理コード等の特定データに変換する際に、必要な情報の一部が欠けてしまい、面倒な確認処理が必要になったり、正確な特定データが得られない。
【０００７】
本発明は、このような背景技術に存在する課題を解決したＣＡＤシステムの部品ファイル作成方法の提供を目的とするものである。
【課題を解決するための手段】
【０００８】
本発明に係るＣＡＤシステムＭの部品ファイル作成方法は、ＣＡＤ内で使用する部品情報に係わる部品ファイルＤｐを作成するに際し、部品を特定するための部品メーカ側で付与された部品名データＤｍを、部品の寸法に係わる数値を含まない暗号化したファイル名Ｎｆに変換し、このファイル名Ｎｆを使用して部品ファイルＤｐを作成するようにしたことを特徴とする。
【０００９】
この場合、発明の好適な態様により、ファイル名Ｎｆは、少なくとも部品の種類，部品の寸法及び部品名の形態を、それぞれ部品の種類毎に設定した種別コードＣａ，同一の種別コードＣａ内で寸法毎に設定した寸法コードＣｂ及び部品名の形態に対応して設定した形態コードＣｃに変換し、種別コードＣａ，寸法コードＣｂ及び形態コードＣｃを組合わせて生成することができる。この際、種別コードＣａ…，寸法コードＣｂ…及び形態コードＣｃ…を、予めデータベースＤｏとして設定し、このデータベースＤｏを用いて部品名データＤｍからファイル名Ｎｆに自動変換処理することができる。さらに、部品名データＤｍが、種別コードＣａ，寸法コードＣｂ及び形態コードＣｃにより表現できないものを含むときは、補助コードＣｄに変換し、この補助コードＣｄを追加したファイル名Ｎｆを生成することができる。一方、作成した部品ファイルＤｐのファイル名Ｎｆを、逆変換処理機能により、部品名データＤｍに逆変換処理することができるとともに、特定データ変換処理機能により、部品名データＤｍとは異なる特定データＤｓに変換処理することができる。
【発明の効果】
【００１０】
このような手法による本発明に係るＣＡＤシステムＭの部品ファイル作成方法によれば、次のような顕著な効果を奏する。
【００１１】
（１）  ＣＡＤシステムＭに備えるパラメタリック機能を利用した場合であっても、ファイル名Ｎｆは何ら影響を受けないため、従来のようなファイル名Ｎｆが変更されてしまう不具合や部品メーカ側に対する誤発注の発生を回避することができる。
【００１２】
（２）  字数の多い部品名データＤｍであっても、ファイル名Ｎｆに部品名データＤｍに係わる全ての情報を含ませることができるため、部品名データＤｍへの逆変換処理や特定データ（発注コードや管理コード等）Ｄｓへの変換処理を容易かつ正確に行うことができる。
【００１３】
（３）  比較的簡易なソフトウェアにより実施できるなど、実施の容易化及び低コスト化に寄与できるとともに、既存のＣＡＤシステムに対してもソフトウェア追加により適用できるなど、汎用性に優れる。
【００１４】
（４）  好適な態様により、ファイル名Ｎｆを生成するに際し、少なくとも部品の種類，部品の寸法及び部品名の形態を、それぞれ部品の種類毎に設定した種別コードＣａ，同一の種別コードＣａ内で寸法毎に設定した寸法コードＣｂ及び部品名の形態に対応して設定した形態コードＣｃに変換し、種別コードＣａ，寸法コードＣｂ及び形態コードＣｃを組合わせるようにすれば、部品名データＤｍからファイル名Ｎｆを容易かつ確実に生成することができる。
【００１５】
（５）  好適な態様により、部品名データＤｍが、種別コードＣａ，寸法コードＣｂ及び形態コードＣｃにより表現できないものを含む際に、補助コードＣｄに変換し、この補助コードＣｄを追加したファイル名Ｎｆを生成するようにすれば、部品名データＤｍからファイル名Ｎｆをより確実に生成することができ、信頼性及び汎用性をより高めることができる。
【発明を実施するための最良の形態】
【００１６】
次に、本発明に係る最良の実施形態を挙げ、図面に基づき詳細に説明する。
【００１７】
まず、本実施形態に係る部品ファイル作成方法を実施できるＣＡＤシステムＭの概要について、図３に示す機能ブロック図を参照して説明する。
【００１８】
例示するＣＡＤシステムＭは、三次元ＣＡＤシステムであり、各種処理を実行するコンピュータ本体２を備えるとともに、このコンピュータ本体２には、マウス３及びキーボード４等の入力装置、さらに、ディスプレイ５及びプリンタ６等の出力装置が接続されている。
【００１９】
一方、コンピュータ本体２には、本実施形態に係る部品ファイル作成方法を実行する処理プログラムＰｓをはじめ各種コンピュータプログラムを格納するメモリ７を備える。メモリ７には、部品を特定するための部品メーカ側で付与された部品名データ（カタログデータ）Ｄｍ…を格納するカタログデータメモリ部１１を備えるとともに、ＣＡＤ内で使用する部品情報に係わる部品ファイルＤｐ…をファイリングする部品ファイルメモリ部１２を備える。また、データベースＤｏを備え、このデータベースＤｏには、部品の種類毎、例えば、ボルト，ワッシャー等の部品種別毎にアルファベットの組合わせにより設定した複数の種別コードＣａ…を格納する第一データテーブル１３、同一の種別コードＣａ内で寸法毎に設定し、特に、同一の種別コードＣａ内での分類を目的とするため、例えば、三桁の通し番号を用いて設定した複数の寸法コードＣｂ…を格納する第二データテーブル１４及び部品名の形態（具体的タイプ）に対応して、例えば、二桁の数字により設定した複数の形態コードＣｃ…を格納する第三データテーブル１５を含むとともに、これら種別コードＣａ…，寸法コードＣｂ…及び形態コードＣｃ…により表現できないものに対して設定した補助コードＣｓ…を格納する第四データテーブル１６を含む。なお、メモリ７は、その他、図面データの格納機能を有するとともに、各種データ類の記憶処理に供するシステムメモリとして機能するなど、メモリ全般の機能を有している。一方、コンピュータ本体２には、処理プログラムＰｓに従って各種変換処理を実行する変換処理部２１を備えている。
【００２０】
次に、本実施形態に係る部品ファイル作成方法の具体的な処理手順について、図３〜図７を参照しつつ図１に示すフローチャートに従って説明する。
【００２１】
まず、カタログデータメモリ部１１には、複数の部品名データ（カタログデータ）Ｄｍ…が格納されているため、ディスプレイ５に各種態様により表示させることができる。例えば、全ての部品名データＤｍ…を一覧表により表示することもできるし、部品メーカ別或いは部品種類別等により表示させることもできる。
【００２２】
今、ＣＡＤ図面（例えば、金型図面）を作成するとともに、このＣＡＤ図面に対応する部品ファイルＤｐを作成する場合を想定する。最初に、部品ファイルＤｐを作成する部品名データＤｍを指定する（ステップＳ１）。この場合、例えば、ディスプレイ５に表示された部品名データＤｍ…の一覧表から任意の部品名データＤｍを選択することができる。なお、部品名データＤｍの指定は、オペレータの操作により行うことができるが、以後の処理は、基本的には、処理プログラムＰｓに従って自動で実行される。部品名データＤｍの一例を図５（図４）に示す。図４は、Ｗ社製の六角穴付ボルト３１を示し、「Ｍ６×２５」の寸法を有している。また、図５は、変換処理の原理説明図を示す。この場合、同図（ａ）は、部品を特定するための部品メーカ側で付与された部品名データＤｍであり、一例として「ＣＢ  ６−２５」を示す。
【００２３】
一方、部品名データＤｍが指定されることにより、まず、変換処理部２１により種別コードＣａへの変換処理（暗号化処理）が行われる（ステップＳ２）。図５（ｂ）は、第一データテーブル１３、即ち、部品の種類毎に設定した種別コードＣａ…の内容を示している。例示する部品名データＤｍの場合、部品の種類はボルトになるため、第一データテーブル１３から「ＢＯ」が選択される。
【００２４】
次いで、変換処理部２１により寸法コードＣｂへの変換処理（暗号化処理）が行われる（ステップＳ３）。図５（ｃ）は、第二データテーブル１４、即ち、同一の種別コードＣａ…内で寸法毎に設定した寸法コードＣｂ…の内容を示している。例示の部品名データＤｍの場合、寸法は「Ｍ６×２５」であるため、第二データテーブル１４からは「００４」が選択される。
【００２５】
さらに、変換処理部２１により形態コードＣｃへの変換処理（暗号化処理）が行われる（ステップＳ４）。図５（ｄ）は、第三データテーブル１５、即ち、部品名の形態に対応して設定した形態コードＣｃ…の内容を示している。例示の部品名データＤｍの場合、「ＣＢ  ６−２５」により表示されているため、第三データテーブル１５から、この形態を示す「０３」が選択される。
【００２６】
以上の変換処理が終了したなら、種別コードＣａ，寸法コードＣｂ及び形態コードＣｃを組合わせて目的のファイル名Ｎｆを生成する（ステップＳ５，Ｓ６）。図５（ｅ）が生成されたファイル名「ＢＯ００４０３」を示しており、具体的には、種別コードＣａ…から選択された「ＢＯ」，寸法コードＣｂ…から選択された「００４」，形態コードＣｃ…から選択された「０３」が順番に配列する構成となる。
【００２７】
これにより、「ＣＢ  ６−２５」のように、部品名データＤｍに部品の寸法に係わる数値「６−２５」を含む場合であっても、部品の寸法に係わる数値を含まない暗号化したファイル名「ＢＯ００４０３」に変換される。したがって、このファイル名Ｎｆを使用して部品ファイルＤｐを作成し、部品ファイルメモリ部１２にファイリングすることができる（ステップＳ７）。さらに、部品ファイルを作成する他の部品名データがあれば、同様の処理手順により部品ファイルＤｐ…の作成処理を行う（ステップＳ８）。
【００２８】
よって、このような部品ファイル作成方法によれば、部品の寸法に係わる数値を含まない暗号化したファイル名Ｎｆを用いて部品ファイルＤｐを作成できるため、例えば、ＣＡＤシステムＭに備えるパラメタリック機能を利用した場合であっても、ファイル名Ｎｆは何ら影響を受けないため、従来のようなファイル名Ｎｆが変更されてしまう不具合や部品メーカ側に対する誤発注の発生を回避することができる。即ち、パラメタリック機能を利用した場合、２５〔ｍｍ〕のボルト寸法を３０〔ｍｍ〕に変更する際には、ボルト「Ｍ６×２５」における「２５」を「３０」に変更するのみで容易に変更できるが、ファイル名Ｎｆには部品の寸法に係わる数値を含まないため、ファイル名Ｎｆは何ら影響を受けることがない。
【００２９】
また、字数の多い部品名データＤｍであっても、ファイル名Ｎｆに部品名データＤｍに係わる全ての情報を含ませることができるため、後述する部品名データＤｍへの逆変換処理や特定データ（発注コードや管理コード等）Ｄｓへの変換処理を容易かつ正確に行うことができる。しかも、比較的簡易なソフトウェアにより実施できるなど、実施の容易化及び低コスト化に寄与できるとともに、既存のＣＡＤシステムに対してもソフトウェア追加により適用できるなど、汎用性に優れる。さらに、ファイル名Ｎｆを生成するに際し、少なくとも部品の種類，部品の寸法及び部品名の形態を、それぞれ部品の種類毎に設定した種別コードＣａ，同一の種別コードＣａ内で寸法毎に設定した寸法コードＣｂ及び部品名の形態に対応して設定した形態コードＣｃに変換し、種別コードＣａ，寸法コードＣｂ及び形態コードＣｃを組合わせるようにしたため、部品名データＤｍからファイル名Ｎｆを容易かつ確実に生成することができる。
【００３０】
次に、部品名データＤｍとして、図６（図７）に示すスプリングワッシャー３２が指定された場合について説明する。なお、図６に示すスプリングワッシャー３２は、Ｖ社製の「呼び６」である。図７は、変換処理の原理説明図を示す。この場合、同図（ａ）には、部品を特定するための部品メーカ側で付与された部品名データＤｍとして「ＣＢＷ  ６」を例示する。
【００３１】
この部品名データＤｍが指定されれば、最初に、変換処理部２１により種別コードＣａへの変換処理（暗号化処理）が行われる（ステップＳ１，Ｓ２）。図７（ｂ）は、第一データテーブル１３の内容を示している。例示の部品名データＤｍは、スプリングワッシャーであるため、第一データテーブル１３から二文字の「ＷＳ」が選択される。
【００３２】
次いで、変換処理部２１により寸法コードＣｂへの変換処理（暗号化処理）が行われる（ステップＳ３）。この場合、例示のスプリングワッシャーは、寸法情報が存在しないため、第二データテーブル１４から選択が行われることがなく、「０００」が設定される。また、変換処理部２１により形態コードＣｃへの変換処理（暗号化処理）が行われる（ステップＳ４）。図７（ｃ）は、第三データテーブル１５の内容を示している。例示の部品名データＤｍの場合、「ＣＢＷ  ６」により表示されているため、第三データテーブル１５から、この形態を示す「０２」が選択される。
【００３３】
ところで、このスプリングワッシャー３２の場合、図６に示すように、「呼び６」の情報がある。この「呼び６」は、「Ｍ６」ボルトに用いるワッシャーを意味するため、変換処理部２１により補助コードＣｄへの変換処理（暗号化処理）が行われる（ステップＳ５，Ｓ９）。図７（ｄ）は、第四データテーブル１６、即ち、種別コードＣａ，寸法コードＣｂ及び形態コードＣｃにより表現できないものを含む場合における補助コードＣｄ…の内容を示している。例示の部品名データＤｍの場合、「ＷＳ」が選択されているため、第四データテーブル１６から、「Ｎ０  −１」が選択されるとともに、これに基づき、「Ｎ６０」に変換される。この「Ｎ０  −１」の「Ｎ」は注記情報を示し、「呼び」を表すとともに、「−１」は、「１０＾−１」を意味する。したがって、６／（１０＾−１）＝６０が得られ、逆変換する際には、６０・（１０＾−１）＝６が得られるルールが設定されている。なお、このような「１０＾−１」を用いることにより、「Ｍ１．６」等であっても、補助コードＣｄを全て整数により表すことができる。
【００３４】
以上の変換処理が終了したなら、種別コードＣａ，寸法コードＣｂ，形態コードＣｃ及び補助コードＣｄを組合わせて目的のファイル名Ｎｆを生成する（ステップＳ６）。図７（ｅ）が生成されたファイル名「ＷＳ００００２Ｎ６０」を示しており、具体的には、種別コードＣａ…から選択された「ＷＳ」，寸法コードＣｂ部分に挿入される「０００」，形態コードＣｃから選択された「０２」，補助コードＣｄから選択された「Ｎ６０」が順番に配列する構成となる。これにより、このファイル名Ｎｆを使用して部品ファイルＤｐを作成し、部品ファイルメモリ部１２にファイリングすることができる（ステップＳ７）。さらに、部品ファイルを作成する他の部品があれば、同様の処理手順により部品ファイルＤｐの作成処理を行う（ステップＳ８）。なお、このような補助コードＣｄは、必要により複数組合わせることもできる。
【００３５】
このように、部品名データＤｍが、種別コードＣａ，寸法コードＣｂ及び形態コードＣｃにより表現できないものを含む際に、補助コードＣｄに変換し、この補助コードＣｄを追加したファイル名Ｎｆを生成するようにすれば、部品名データＤｍからファイル名Ｎｆをより確実に生成することができ、信頼性及び汎用性をより高めることができる。
【００３６】
次に、このようにファイリングしたファイル名Ｎｆを利用する際の処理手順について、図３〜図９を参照しつつ図２に示すフローチャートに従って説明する。
【００３７】
ファイリングしたファイル名Ｎｆは、以後、様々な場面で利用することができる。このため、ファイル名Ｎｆを逆変換処理により元の部品名データ（カタログデータ）Ｄｍに再生する逆変換処理モード（逆変換処理機能）を備えるとともに、部品を発注する際に使用する発注コードや社内で管理する際に使用する独自の管理コード等の特定データＤｓに変換する特定データ変換処理モード（特定データ変換処理機能）を備えている。
【００３８】
まず、部品ファイルＤｐのファイル名Ｎｆを指定（選択）する（ステップＳ１１）。これにより、指定されたファイル名Ｎｆが読み出される。今、前述したファイル名「ＢＯ００４０３」が指定されたものとする。この際、逆変換処理モードが選択されていれば、最初に、変換処理部２１により種別コードＣａの解読処理が行われる（ステップＳ１２，Ｓ１３）。図８は、第一データテーブル１３の詳細例を示している。この場合、ファイル名Ｎｆにおける種別コードＣａを構成する「ＢＯ」から、第一データテーブル１３のボルト欄１３ｂにおける一行目の「ＢＯ」が選択されるとともに、四列目「ＢＯＬＴ」（五列目「ボルト」）が選択される。そして、３列目「ＦＴ−ＢＯＬＴ２」のファミリフォルダが選択される。
【００３９】
次いで、形態コードＣｃの解読処理が行われる（ステップＳ１４）。図９は、第三データテーブル１５の詳細例を示している。ファイル名Ｎｆにおける形態コードＣｃを構成する「０３」から、第三データテーブル１５のボルト欄１５ｂにおける形態データが選択される。即ち、二列目「ＣＢ」と十六列目「ｃ＠−＄」が選択される。これにより、「ｃ＠−＄」の「ｃ」に「ＣＢ」が組み込まれ、「ＣＢ＠−＄」が得られる。
【００４０】
一方、第一データテーブル１３における三列目（［０］列）は「＠」を組み込む寸法の番号を示すとともに、四列目（［１］列）は「＄」に組み込む寸法の番号を示す。したがって、これに基づき寸法コードＣｂの解読が行われる（ステップＳ１５）。即ち、［０］列のＴ４は、テーブル四番目を意味するため、第一データテーブル１３から選択された「ＦＴ−ＢＯＬＴ２」のファミリフォルダ（不図示）における四番目のデータである「６．０００」の寸法が選択される。なお、［０］列における「−１」は、この寸法の小数点表示桁数を表している。したがって、「−１」の場合、小数点以下を有するデータがあれば、小数点１桁まで表示される。さらに、［１］列のＴ６は、テーブル六番目を意味するため、第一データテーブル１３から選択された「ＦＴ−ＢＯＬＴ２」のファミリフォルダ（不図示）から「２５．０００」の寸法が選択される。
【００４１】
よって、「ＣＢ＠−＄」の「＠」に「６．０００」が組み込まれ、「＄」に「２５．０００」が組み込まれることにより、「ＣＢ  ６−２５」の部品名データＤｍ（カタログデータ）が再生される（ステップＳ１６，Ｓ１７）。さらに、他の逆変換するファイル名Ｎｆがあれば、同様の処理手順により逆変換処理を行えばよい（ステップＳ１８）。
【００４２】
他方、前述したファイル名「ＷＳ００００２Ｎ６０」が指定された場合の逆変換処理は、次のようになる。まず、変換処理部２１により種別コードＣａの解読処理が行われる（ステップＳ１３）。この際、ファイル名Ｎｆにおける種別コードＣａを構成する「ＷＳ」から、第一データテーブル１３のワッシャー欄１３ｗにおける二行目「ＷＳ」が選択されるとともに、［５］列「Ｓワッシャー」（［６］列「ＳｐｒｉｎｇＷａｓｈｅｒ」）が選択される。そして、［３］列「ＦＴ−ＷＳ３」のフォルダが選択される。
【００４３】
また、形態コードＣｃの解読処理が行われる（ステップＳ１４）。ファイル名Ｎｆにおける形態コードＣｃを構成する「０２」から、第三データテーブル１５のワッシャー欄１５ｗにおける形態データが選択される。即ち、二列目「ＣＢＷ」と十六列目「ｃ＠」が選択される。これにより、「ｃ＠」の「ｃ」に「ＣＢＷ」が組み込まれ、「ＣＢＷ＠」が得られる。
【００４４】
ところで、スプリングワッシャー３２の場合、補助コードＣｄとなる「Ｎ６０」が付与されているため、Ｎの注記情報に基づき、６０・（１０＾−１）から「呼び」の「６」が得られる。よって、「ＣＢＷ＠」の「＠」に「６」が組み込まれることにより、「ＣＢＷ  ６」の部品名データＤｍ（カタログデータ）が再生される（ステップＳ１５，Ｓ１６，Ｓ１７）。さらに、他の逆変換するファイル名Ｎｆがあれば、同様の処理手順により逆変換処理を行えばよい（ステップＳ１８）。なお、第一データテーブル１３の予備欄１３ｅにおける「ＧＰ」行は、「Ｔ０，Ｔ３，Ｔ１０」と「Ｎ０」が混在するため、前述したボルトとスプリングワッシャーの要素が混在する部品にも対応できる。
【００４５】
次に、発注コードや管理コード等の特定データＤｓに変換する特定データ変換処理モードを選択した場合の処理手順について説明する。
【００４６】
この場合、予め設定した変換ルール（データベース）に従って、「ＢＯ００４０３」，「ＷＳ００００２Ｎ６０」から、発注コードや管理コード等の特定データＤｓに、直接、変換処理される（ステップＳ１２，Ｓ２０，Ｓ２１）。なお、発注コードとは、部品を発注する際に部品名データＤｍ（カタログデータ）とは別に定めたコードである。また、管理コードは、社内で管理する際に使用する独自のコードである。
【００４７】
よって、このような部品ファイル作成方法によれば、部品を特定するための部品メーカ側で付与された部品名データＤｍ（カタログデータ）を暗号化したファイル名Ｎｆに変換しているため、字数の多い部品名データＤｍであっても、ファイル名Ｎｆに部品名データＤｍに係わる全ての情報を含ませることができるため、部品名データＤｍへの逆変換処理や特定データ（発注コードや管理コード等）Ｄｓへの変換処理を容易かつ正確に行うことができ、部品名データＤｍを扱う際における能率性及び利便性を高めることができる。
【００４８】
以上、最良の実施形態について詳細に説明したが、本発明は、このような実施形態に限定されるものではなく、細部の構成，数量，手法，用途等において、本発明の要旨を逸脱しない範囲で、任意に変更，追加，削除することができる。
【００４９】
例えば、例示の実施形態では、物品図面として金型図面を例示したが、金型以外の同様の内容を有する物品図面にも同様に適用することができる。また、部品の種類として、ボルトとワッシャーを例示したが各種部品に同様に適用することができる。ファイル名Ｎｆの形式は例示に捕らわれることなく、本発明の要旨を逸脱しない範囲で任意に変更することができる。一方、データベースＤｏを用いて自動変換処理する場合を例示したが、データベースＤｏを用いることなく、予め設定した変換式（演算式）により変換してもよいし、必要によりマニュアル入力した数値やデータ等を利用して処理してもよい。
【図面の簡単な説明】
【００５０】
【図１】本発明の最良の実施形態に係る部品ファイル作成方法の処理手順を示すフローチャート、
【図２】同部品ファイル作成方法により作成したファイル名を利用する際の処理手順を示すフローチャート、
【図３】同部品ファイル作成方法を実施できるＣＡＤシステムの主要部を抽出して示す機能ブロック図、
【図４】同部品ファイル作成方法に用いる六角穴付ボルトの部品図、
【図５】同部品ファイル作成方法により六角穴付ボルトの部品名データをファイル名に変換処理する際の原理説明図、
【図６】同部品ファイル作成方法に用いるスプリングワッシャーの部品図、
【図７】同部品ファイル作成方法によりスプリングワッシャーの部品名データをファイル名に変換処理する際の原理説明図、
【図８】同部品ファイル作成方法に用いる第一データテーブルの詳細図、
【図９】同部品ファイル作成方法に用いる第三データテーブルの詳細図、
【符号の説明】
【００５１】
Ｍ    ＣＡＤシステム
Ｎｆ  ファイル名
Ｄｐ  部品ファイル
Ｄｍ  部品名データ
Ｄｏ  データベース
Ｃａ  種別コード
Ｃｂ  寸法コード
Ｃｃ  形態コード
Ｃｄ  補助コード
【図１】
2006146482.tif 000003
【図２】
2006146482.tif 000004
【図３】
2006146482.tif 000005
【図４】
2006146482.tif 000006
【図５】
2006146482.tif 000007
【図６】
2006146482.tif 000008
【図７】
2006146482.tif 000009
【図８】
2006146482.tif 000010
【図９】
2006146482.tif 000011